(57)【特許請求の範囲】
【請求項１】
バーナおよび熱交換器を内蔵した本体ケースと、熱交換器に対向させて燃焼熱を送り出す送風機と、この送風機の後部を覆い本体ケース後面に配置されたファンガードと、排気出口部を前記本体ケースの後パネルに開口させた排気管と、この排気管の排気出口部に回動可能な可動接続管を介して接続されて前記排気出口部を軸に回動可能な給排気筒とを備えた密閉式温風暖房機において、
前記後パネルに取り付けられる外縁から内側に向かって折り曲げられ、周側壁および前記ファンガードを取り付けるための取付面部が形成された矩形状の取付枠により、前記ファンガードの前記後パネル面からの突出寸法を小さくして前記可動接続管を３６０度の範囲に回動可能にしたことを特徴とする密閉式温風暖房機。
【発明の詳細な説明】
【０００１】
【発明の属する技術分野】
本発明は、石油等を燃焼させる密閉式温風暖房機に関する。
【０００２】
【従来の技術】
一般に、密閉式温風暖房機は屋内に設置され、壁孔を通して配管がなされて給気口と排気口とを屋外に突設させた給排気筒を介して屋外から燃焼用の空気を取り入れ、排気ガスを給排気筒を介して屋外に排出している。
【０００３】
図６は従来の温風暖房機の一部側断面図であり、図７は背面図である。図において、１は排気管、２は給排気筒、３は給気ホース、４はファンガード、７は可動接続管である。これらが本体ケース８の後パネル１１後部に配設されている。
【０００４】
給排気筒２は外筒１５と内筒１６との二重構造になっており、外筒１５と内筒１６との間が給気経路、内筒１６の内側が排気経路になっている。給排気筒２の先端に給気口１２と排気口１３とが設けられ、これら給気口１２と排気口１３は壁孔（図示せず）を通して屋外に突出して設置されている。また、給排気筒２は屋内側の端面１９ａが封止され、後パネル１１面から間隔を開けて配設されている。
【０００５】
排気管１は温風暖房機５の本体ケース８内の中央部よりやや下の位置から後部にかけて配設され、その排気出口部１Ａを後パネル１１に開口させており、この排気出口部１Ａは、本体ケース８の後パネル１１と平行に配設されたＬ字状の可動接続管７に接続されている。
【０００６】
可動接続管７は排気管１の排気出口部１Ａを軸に後パネル１１に回動自在に取り付けられ、可動接続管７の先端が給排気筒２の屋内側端部の外周面に接続されている。
【０００７】
給気ホース３は後パネル１１の下端部から突出している可撓性ホースで、先端が給排気筒２の屋内側の端部１９の外周面に接続されている。
【０００８】
ファンガード４は後パネル１１に形成された円形状の開口を覆うように後パネル１１に取り付けられ、後部に突出し、温風ファン１４の回転から外側を保護している。
【０００９】
給排気筒２の屋内側端部１９の外周部には給気ホース３と可動接続管７とが接続されており、給排気筒２の給気経路と給気ホース３とが連通され、屋外の空気を燃焼用空気としてバーナ２０に供給することができ、また、排気管１と可動接続管７と給排気筒２の排気経路とが連通され、熱交換器２４からの排気ガスを屋外に排出することができる。
【００１０】
給排気筒２は可動接続管７の先端と接続されているので、可動接続管７を回動させることによって、可動接続管７の円周上に沿って位置を変えることができる。給排気筒２の位置変更が可能なことから、給排気筒２を通す壁孔の位置をこの回動範囲内から選んで設けることができる。
【００１１】
【発明が解決しようとする課題】
ところが、ファンガード４が排気管１の排気出口部１Ａに隣接して取り付けられ、ファンガード４の後パネル１１面からの突出寸法が給排気筒２の端面１９ａと後パネル１１面との距離よりも大きいため、可動接続管７を回動すると給排気筒２の端部１９がファンガード４に当たってファンガード４の後方への回動が妨げられ、ファンガード４の後方に壁孔を設けても給排気筒２を設置することができなかった。ファンガード４の後方に給排気筒２を移動できるようにするため、可動接続管７の先端と後パネル１１との間隔を大きくして可動接続管７を３６０度の範囲に回動可能とした設計をすると、本体ケース８の後パネル１１と壁面との間に大きな間隔が必要となり、バックガードＧを含めた温風暖房機５の奥行寸法が大きくなるという問題があった。
【００１２】
本発明は上述のような従来の問題点を解消したものであり、ファンガードの後パネル面からの突出寸法を小さくして可動接続管を３６０度の範囲に回動可能にすることにより、給排気筒の設置範囲を広くすることのできる温風暖房機を提供することを目的とする。
【００１３】
【課題を解決するための手段】
上記目的を達成するために、請求項１の発明は、バーナおよび熱交換器を内蔵した本体ケースと、熱交換器に対向させて燃焼熱を送り出す送風機と、この送風機の後部を覆い本体ケース後面に配置されたファンガードと、排気出口部を前記本体ケースの後パネルに開口させた排気管と、この排気管の排気出口部に回動可能な可動接続管を介して接続されて前記排気出口部を軸に回動可能な給排気筒とを備えた密閉式温風暖房機において、
前記後パネルに取り付けられる外縁から内側に向かって折り曲げられ、周側壁および前記ファンガードを取り付けるための取付面部が形成された矩形状の取付枠により、前記ファンガードの前記後パネル面からの突出寸法を小さくして前記可動接続管を３６０度の範囲に回動可能にしたものである。
【００１５】
【発明の実施の形態】
以下、この発明の一実施形態を図面に基づいて説明する。図３は本発明の一実施形態における密閉式温風暖房機の側断面図である。なお、図６、図７と同一の構成要素には同一の符号を付してその詳細な説明は省略する。
【００１６】
図３において、１は排気管、２は給排気筒、４はファンガード、Ｇはバックガードである。
【００１７】
給排気筒２は壁孔を通して屋外に突出して設置されている。屋内側端部１９の外周部には給気ホース３と可動接続管７とが接続され、端面１９ａが封止されている。前記排気管１は排気出口部１Ａを本体ケース８の後パネル１１に開口させており、この排気出口部１Ａに可動接続管７を介して給排気筒２が接続されている。
【００１８】
４はファンの回転から外側を保護するファンガード４であり、このファンガード４の内側に燃焼によって温められた空気を温風として室内に送りだす温風ファン１４とこのファン１４を駆動するファンモータ１７が取り付けられている。
【００１９】
１８はファンケースであり、このファンケース１８内にはバーナ２０に燃焼用空気を供給する給気用ファン２１が収容されている。２２はバーナケースであり、このバーナケース２２内には石油を気化して燃焼させるバーナ２０が収容されている。バーナ２０の上部には燃焼筒２３が配設され、燃焼筒２３の横に熱交換器２４が並設されている。燃焼筒２３と熱交換器２４とは上部の連結ケース２５で連通されている。熱交換器２４の下端には排気管１に接続する接続部品２６が接続されている。
【００２０】
暖房運転が開始されると、給気用ファン２１が回転し、給排気筒２の給気口１２から給排気筒２、給気ホース３を通してバーナ２０に燃焼用空気（屋外空気）が取り込まれ、バーナ２０に供給される。バーナ２０の燃焼が開始させると、燃焼筒２３内の燃焼ガスが連結ケース２５を通って熱交換器２４に送られる。このとき燃焼筒２３および熱交換器２４の後方から温風ファン１４で送風されており、燃焼によって温められた空気が本体ケース８の前面の温風吹出口２７から室内に送り出されて暖房が行われる。熱交換器２４内の燃焼ガスは排気ガスになって排気管１、可動接続管７、給排気筒２を通って屋外に排出される。
【００２１】
図１は本発明の一実施形態における送風機の取付を示す一部側断面図である。図２は一部平断面図である。１１は後パネル、２８は取付枠、４はファンガードである。
【００２２】
後パネル１１には矩形状の開口が形成され、この開口の前方には燃焼筒２３および熱交換器２４が配設されている。
【００２３】
取付枠２８は矩形状をしており、後パネル１１に取り付けられる外縁３１から内側に向かって折り曲げられ、周側壁３２およびファンガード４を取り付けるための取付面部３３が形成され、取付面部３３の中央部にはベルマウス３４が形成されている。
【００２４】
ファンガード４は矩形状の皿形をしており、底面部３５と側面部３６とに多数の通気孔３７が形成され、側面部３６の基部側の外周にはフランジ３８が設けられている。底面部３５中央の内側には温風ファン１４（送風機）を駆動するファンモータ１７（送風機）がネジ止め固定されている。
【００２５】
後パネル１１の開口に取付枠２８が嵌め込まれ、後パネル１１の開口の縁と取付枠２８の外縁３１とが重ね合わされてネジ止め固定される。取付枠２８の取付面部３３が後パネル１１面よりも熱交換器２４側に位置し、この取付面部３３にファンガード４のフランジ３８が重ね合わされてネジ止め固定される。ファンガード４と取付枠２８との接続箇所を熱交換器２４側に近づけていることにより、温風ファン１４の前部が熱交換器２４の直後まで接近しており、ファンガード４の底面部３５が後パネル１１面から突出しているもののこの突出寸法が給排気筒２の端面１９ａと後パネル１１面との間隔より小さくなっている。
【００２６】
以上のように、ファンガード４と後パネル１１との間に取付枠２８を介在させてファンガード４の接続箇所を後パネル１１面よりも熱交換器２４側に偏倚させたので、その分、後パネル１１面よりも後方へのファンガード４の突出寸法を減らすことができる。従来のようにファンガード４を後パネル１１面で接続する場合に比べ、後パネル１１面よりも後方へのファンガード４の突出寸法が減っているので、可動接続管７を回動しても給排気筒２の端部１９がファンガード４に当たることはなく、排気管１の排気出口部１Ａを中心に、可動接続管７の長さを半径として、３６０度の回動範囲に給排気筒２を配置することができる。
【００２７】
また、本実施形態では取付枠２８を用いてファンガード４を接続しているが、プレス加工により取付枠２８と同形状のものを後パネル１１に形成してファンガード４との接続をしても良い。
【００２８】
また、ファンガード４が取付枠２８を介して後パネル１１に取り付けられ、ファンガード４の側面部３６と取付枠２８の周側壁３２との間に隙間が形成されており、ファンガード４の底面部３５の通気孔３７および側面部３６の通気孔３７を通して空気が十分に吸い込まれるので、温風ファン１４の性能が十分確保できる。
【００２９】
さらに、ファンガード４やファンモータ１７および温風フアン１４の大きさを変えずにファンガード４の取付位置だけを後パネル１１面から熱交換器２４側に偏倚させているので、温風ファン１４、ファンモータ１７およびファンガード４は従来のものと同種類のものを使用でき、部品の共通化が図れる。
【００３０】
図４、図５は給排気筒の位置を変更した場合の温風暖房機の背面図である。給排気筒２の端面１９ａと後パネル１１との距離が、ファンガード４の後パネル１１からの突出寸法より大きくなっていることから、給排気筒２をファンガード４の後方へ配置することができ、給排気筒２の設置範囲を広げることができる。
【００３１】
以上、一実施形態に基づいて本発明を説明したが、本発明はこれに限定されるものではない。取付枠２８と後パネル１１とをネジ止めによって接続しているが溶接によって接続しても良い。
【００３２】
また、本実施形態ではファンガード４が後パネル１１面から突出する構成となつているが、ファンガード４の底面部３５と後パネル１１面とが同一面になるようにしても良い。
【００３３】
【発明の効果】
以上説明したように、本発明によれば、送風機の後部を覆うファンガードを本体ケースの後パネル面よりも熱交換器側に偏倚させた構成としているので、ファンガードの後パネル面からの突出寸法が抑えられ、給排気筒をファンガードの後方へ設置することが可能となり、給排気筒の設置範囲を拡大でき、機器設置時の施工性を高めることができる。また、ファンガードを本体ケースの後パネル面よりも熱交換器側に偏倚させるだけで、ファンガードの突出寸法を抑えることができるので、送風機やファンガードを従来品と共通化できる。
【図面の簡単な説明】
【図１】  本発明の一実施形態における送風機の取付を示す一部側断面図である。
【図２】  本発明の一実施形態における送風機の取付を示す一部平断面図である。
【図３】  本発明の一実施形態における温風暖房機の側断面図である。
【図４】  本発明の給排気筒の一配置例を示す温風暖房機の背面図である。
【図５】  本発明の給排気筒の別の配置例を示す温風暖房機の背面図である。
【図６】  従来の温風暖房機の側断面図である。
【図７】  従来の給排気筒の一配置例を示す温風暖房機の背面図である。
【符号の説明】
１  排気管
１Ａ  排気管の排気出口部
２  給排気筒
３  給気ホース
４  ファンガード
５  温風暖房機
７  可動接続管
８  本体ケース
１１  後パネル
１４  温風ファン（送風機）
１７  ファンモータ（送風機）
１９  給排気筒の屋内側端部
１９ａ  給排気筒の屋内側端面
２４  熱交換器
２８  取付枠
３１  外縁
３２  周側壁
３３  取付枠の取付面部
３４  ベルマウス
３８  ファンガードの取付フランジ
【図１】
0004159195.tif 000002
【図２】
0004159195.tif 000003
【図３】
0004159195.tif 000004
【図４】
0004159195.tif 000005
【図５】
0004159195.tif 000006
【図６】
0004159195.tif 000007
【図７】
0004159195.tif 000008